(57)【特許請求の範囲】
【請求項１】
利用者の端末からの接続要求に応じて、インターネットへの接続を仲介するインターネット接続仲介装置であって、以下の要素を有することを特徴とするインターネット接続仲介装置
（１）端末からの接続要求に含まれる接続先のアドレスを抽出するアドレス抽出部
（２）インターネットから受信したパケットのうち、上記アドレスにより送信元が特定され、上記端末が受信先であるパケットを抽出するパケット抽出部
（３）抽出したパケットを蓄積し、一連のバッファリングデータを生成するバッファリング部
（４）上記バッファリングデータがタグを用いるマークアップ言語によるコンテンツである場合に、広告部分を示すタグにより、広告部分を特定し、特定した広告部分の広告データ容量を測定する広告データ容量測定部
（５）上記広告データ容量に基づいて、広告部分の送信による増加相当分の通信料金を算出する増加通信料金算出部
（６）上記増加相当分の通信料金を、上記アドレスから特定される提供者への請求料とする提供者請求料算出部。
【請求項２】
上記インターネット接続仲介装置は、更に、
上記増加相当分の通信料金を差し引いて、上記端末の通信料を算出する利用者通信料算出部を有することを特徴とする請求項１記載のインターネット接続仲介装置。
【請求項３】
上記インターネット接続仲介装置は、更に、上記広告部分を示すタグを削除するタグ消去部を有することを特徴とする請求項１記載のインターネット接続仲介装置。
【請求項４】
利用者の端末からの接続要求に応じて、インターネットへの接続を仲介するインターネット接続仲介装置によるインターネット接続仲介方法であって、以下の要素を有することを特徴とするインターネット接続仲介方法
（１）端末からの接続要求に含まれる接続先のアドレスを抽出するアドレス抽出工程
（２）インターネットから受信したパケットのうち、上記アドレスにより送信元が特定され、上記端末が受信先であるパケットを抽出するパケット抽出工程
（３）抽出したパケットを蓄積し、一連のバッファリングデータを生成するバッファリング工程
（４）上記バッファリングデータがタグを用いるマークアップ言語によるコンテンツである場合に、広告部分を示すタグにより、広告部分を特定し、特定した広告部分の広告データ容量を測定する広告データ容量測定工程
（５）上記広告データ容量に基づいて、広告部分の送信による増加相当分の通信料金を算出する増加通信料金算出工程
（６）上記増加相当分の通信料金を、上記アドレスにより特定される提供者への請求料とする提供者請求料算出工程。
【請求項５】
上記端末は、携帯電話端末であることを特徴とする請求項１記載のインターネット接続仲介装置。
【請求項６】
上記端末は、携帯電話端末であることを特徴とする請求項４記載のインターネット接続仲介方法。
【発明の詳細な説明】
【０００１】
【発明の属する技術分野】
本発明は、携帯電話端末をインターネットへ接続するインターネット接続仲介装置に係り、インターネット上から携帯電話端末に送られるコンテンツに含まれる広告の容量を測定し、広告による増加通信料金を自動的に利用者からコンテンツ提供者に振り替えることができるインターネット接続仲介装置に関する。
【０００２】
【従来の技術】
携帯電話端末からホームページを見る場合、多くはユーザの目的によってコンテンツを選択し、閲覧する。従って、ユーザ自身が通信料を負担することは当然である。
【０００３】
しかし、アクセス要求したコンテンツに本来の目的に関わりのない広告が含まれていることがある。このような場合に、広告分の通信料まで、ユーザが負担することは妥当ではない。このため、ユーザの利用が促進されず、コンテンツ配信サービスが滞るという問題もある。
【０００４】
【発明が解決しようとする課題】
本発明は、上記した従来技術の欠点を除くためになされたものであって、その目的とするところは、携帯電話端末をインターネットへ接続するインターネット接続仲介装置に係り、インターネット上から携帯電話端末に送られるコンテンツに含まれる広告の容量を測定し、広告による増加通信料金を自動的に利用者からコンテンツ提供者に振り替えることを課題とする。
【０００５】
【課題を解決するための手段】
本発明に係るインターネット接続仲介装置は、
利用者の携帯電話端末からの接続要求に応じて、インターネットへの接続を仲介するインターネット接続仲介装置であって、以下の要素を有することを特徴とする
（１）携帯電話端末からの接続要求に含まれる接続先のアドレスを抽出するアドレス抽出部
（２）インターネットから受信したパケットのうち、上記アドレスにより送信元が特定され、上記携帯電話端末が受信先であるパケットを抽出するパケット抽出部
（３）抽出したパケットを蓄積し、一連のバッファリングデータを生成するバッファリング部
（４）上記バッファリングデータがＨＴＭＬファイルである場合に、広告部分を示すタグにより、広告部分を特定し、特定した広告部分の広告データ容量を測定する広告データ容量測定部
（５）上記広告データ容量に基づいて、広告部分の送信による増加相当分の通信料金を算出する増加通信料金算出部。
【０００６】
上記インターネット接続仲介装置は、更に、
上記増加相当分の通信料金を差し引いて、上記携帯電話端末の通信料を算出する利用者通信料算出部と、
上記増加相当分の通信料金を、上記アドレスにより特定される提供者に請求する金額として算出する提供者請求料算出部とを有することを特徴とする。
【０００７】
上記インターネット接続仲介装置は、更に、上記広告部分を示すタグを削除するタグ消去部を有することを特徴とする。
【０００８】
本発明に係るインターネット接続仲介方法は、
利用者の携帯電話端末からの接続要求に応じて、インターネットへの接続を仲介するインターネット接続仲介装置によるインターネット接続仲介方法であって、以下の要素を有することを特徴とする
（１）携帯電話端末からの接続要求に含まれる接続先のアドレスを抽出するアドレス抽出工程
（２）インターネットから受信したパケットのうち、上記アドレスにより送信元が特定され、上記携帯電話端末が受信先であるパケットを抽出するパケット抽出工程
（３）抽出したパケットを蓄積し、一連のバッファリングデータを生成するバッファリング工程
（４）上記バッファリングデータがＨＴＭＬファイルである場合に、広告部分を示すタグにより、広告部分を特定し、特定した広告部分の広告データ容量を測定する広告データ容量測定工程
（５）上記広告データ容量に基づいて、広告部分の送信による増加相当分の通信料金を算出する増加通信料金算出工程。
【０００９】
【発明の実施の形態】
実施の形態１．
以下本発明を図面に示す実施例に基づいて説明する。
図１は、インターネット接続仲介装置の接続関係を示した図である。インターネット接続仲介装置は、中継局を介して携帯電話端末から接続されるように構成されている。一方、インターネットにも接続している。この例では、携帯電話端末を使用する利用者が、コンテンツ提供サーバのＵＲＬ（Ｕｎｉｆｏｒｍ  Ｒｅｓｏｕｒｃｅ  Ｌｏｃａｔｏｒ）を指定して接続要求を発し、提供者が提供する広告付きのコンテンツ（ＨＴＭＬファイル）を閲覧する。そして、広告部分の通信料を利用者から提供者へ振り替える。
【００１０】
図２は、インターネット接続仲介装置の構成を示す図である。
１は、電話回線接続部、２は、携帯電話識別情報取得部、３は、接続要求受信部、４は、アドレス抽出部、５は、インターネット接続部、６は、通信処理部、７は、パケット抽出部、８は、バッファリング部、９は、広告データ容量測定部、１０は、タグ消去部、１１は、パケット生成部である。
【００１１】
また、図３は、接続履歴テーブル１２から利用者の通信料及び提供者の請求料を算出する処理に関する構成を示す図である。
１２は、接続履歴テーブル、１３は、通信料算出部、１４は、増加通信料算出部、１５は、利用者通信料算出部、１６は、提供者請求料算出部である。
上述のインターネット接続仲介装置は、コンピュータであり、各要素はプログラムにより処理を実行することができる。また、プログラムを記憶媒体に記憶させ、記憶媒体からコンピュータに読み取られるようにすることができる。
【００１２】
続いて、動作について説明する。
接続要求受信部３が、電話回線接続部１を介して携帯電話端末から接続要求を受信すると、携帯電話識別情報取得部２は、電話回線接続部１から携帯電話識別情報を特定する。携帯電話識別情報は、携帯電話端末装置そのものに割り振られた情報、あるいは、電話番号のように運用上割り振られた情報などが考えられる。
【００１３】
また、接続要求受信部３から接続要求を取得したアドレス抽出部４は、コンテンツ提供サーバのＩＰアドレスを抽出する。
【００１４】
インターネット接続部５は、通常通り、インターネットを介して、コンテンツ提供サーバに接続要求を送信する。その後、コネクションが確立すると、通信処理部６を介して、両者間の通信が行われる。そのため、パケットが転送される。
【００１５】
パケット抽出部７は、通信処理部６を通過するパケットの中から、アドレス抽出部４で抽出したＩＰアドレスを送信元として、携帯電話識別情報取得部２で取得した携帯電話識別情報を受信先として特定できるパケットを抽出する。
【００１６】
バッファリング部８では、抽出されたパケットを蓄積し、連結し、一連のデータを生成する。このデータは、コンテンツを構成するＨＴＭＬファイルである。
【００１７】
図４は、コンテンツを構成するＨＴＭＬファイルの例を示す図である。広告始まりタグ４０１と、広告終わりタグ４０３に挟まれた部分が広告部分４０２である。
【００１８】
広告データ容量測定部９は、バッファリングデータから、広告部分のデータ容量を算出する。このように算出した広告データ容量は、携帯電話識別情報と、ＩＰアドレスと対応付けて、接続履歴テーブル１２に記憶する。
【００１９】
一方、タグ消去部１０は、バッファリングデータから広告始まりタグ４０１と広告終わりタグ４０３を削除する。タグを削除されたバッファリングデータは、パケット生成部１１で再度パケットに分割され、通信処理部６から電話回線接続部１を介して、携帯電話端末に送出される。これにより、携帯電話端末では、広告の前後に余計なタグが無い画像が表示される。また、通信処理部６は、転送するパケット数をカウントし、携帯電話識別情報と対応付けて接続履歴テーブル１２に記憶する。この例では、接続履歴テーブル１２に含めているが、別なテーブルを設けてもよい。
【００２０】
このようにして、接続履歴テーブル１２に接続に関する履歴情報が蓄積される。図３に示すように、携帯電話識別情報１２０１、パケット数１２０２、広告データ容量１２０３、ＩＰアドレス１２０４が対応付けられている。
【００２１】
続いて、月次処理について説明する。通常、月ごとに利用者の通信料及び提供者の請求料を算出する。
通信料算出部１３は、携帯電話識別情報１２０１毎に、パケット数１２０２に基づいて通信料を算出する。また、増加通信料算出部１４は、広告データ容量１２０３により、広告部分の送信による増加相当分の通信料金を算出する。バイト数に特定レートを乗ずる方法などが考えられる。
利用者通信料算出部１５は、通信料から増加通信料を差し引いて、携帯電話識別情報１２０１から特定される利用者の通信料とする。
【００２２】
提供者請求料算出部１６は、増加通信料をＩＰアドレス１２０４から特定される提供者への請求料とする。
【００２３】
尚、この例では、アドレスの例としてＩＰアドレスを用いたが、代りにＵＲＬをアドレスとして用いてもよい。
【００２４】
【発明の効果】
本発明においては、ＨＴＭＬファイルをバッファリングし、広告データ容量を測定し、その容量に基づいて増加相当分の通信料金を算出するので、利用者の正当な通信費用を算出するのに役立つとともに、本来支払うべき広告掲載者やコンテンツの開示者に、増加分を請求することに役立つ。
【００２５】
また、不要となったタグを削除するので、携帯電話端末における余計な動作を誘発しない。
【図面の簡単な説明】
【図１】  インターネット接続仲介装置の接続関係を示した図である。
【図２】  インターネット接続仲介装置の構成を示す図である。
【図３】  接続履歴テーブルから利用者の通信料及び提供者の請求量を算出する処理に関する構成を示す図である。
【図４】  コンテンツを構成するＨＴＭＬファイルの例を示す図である。
【符号の説明】
１  電話回線接続部、２  携帯電話識別情報取得部、３  接続要求受信部、４アドレス抽出部、５  インターネット接続部、６  通信処理部、７  パケット抽出部、８  バッファリング部、９  広告データ容量測定部、１０  タグ消去部、１１  パケット生成部、１２  接続履歴テーブル、１３  通信料算出部、１４増加通信料算出部、１５  利用者通信料算出部、１６  提供者請求料算出部。
【図１】
0003880808.tif 000002
【図２】
0003880808.tif 000003
【図３】
0003880808.tif 000004
【図４】
0003880808.tif 000005